(57)【特許請求の範囲】
【請求項１】
機器本体と、前記機器本体に設けた洗浄室と、前記洗浄室に設けた開口部と、前記開口部を開閉する扉と、前記洗浄室に設けた食器ラックと、前記食器ラックを支持するラック支持手段と、前記食器ラックを昇降する昇降手段とを備え、前記食器ラックは、前記昇降手段の付勢体により上方に付勢され、空量時に可動範囲の最上端に位置して前記開口部の上方に臨ませる突出部材を設けるとともに、前記突出部材が前記開口部上に位置するとき、前記扉の閉塞操作により前記突出部材を押圧して前記食器ラックを所定位置まで降下させて収納するようにした食器洗い機。
【請求項２】
食器ラックは、空量時に洗浄室の略中間高さに位置するように構成した請求項１記載の食器洗い機。
【請求項３】
食器ラックは、ラック支持手段に着脱自在に載置してなる請求項１または２記載の食器洗い機。
【請求項４】
昇降手段は、複数個配設するとともに、食器ラックの水平維持手段を兼ね備えた付勢体摺動軸を有する請求項１記載の食器洗い機。
【請求項５】
昇降手段は、食器ラックへの積載総重量の略１／２重量で自動的に下降を開始する請求項１記載の食器洗い機。
【請求項６】
昇降手段は、平面矩形状の洗浄室の外方に部分的に突出させた位置に設けてなる請求項１または４記載の食器洗い機。
【請求項７】
昇降手段の最下端は、食器ラックの最下降位置よりもさらに下方に位置させてなる請求項４〜６のいずれか１項に記載の食器洗い機。
【発明の詳細な説明】
【０００１】
【発明の属する技術分野】
本発明は、洗浄室に設けた食器ラックを昇降する食器洗い機に関するものである。
【０００２】
【従来の技術】
従来この種の食器洗い機は、図５に示されているようなシンク一体型食器洗い機があり、この食器洗い機は、シンク１の横に設けた機器本体２と、機器本体２に設けた洗浄室３と、洗浄室３の上方に設けた開口部４と、この開口部４を開閉する扉５と、前記洗浄室３に設けた食器ラック６とから構成され、扉５を開けて開口部４から洗浄室３の食器ラック６に食器を出し入れするようになっていた。なお、７は食器ラック６の上方に設けられたラック棚である。
【０００３】
【発明が解決しようとする課題】
しかしながら、上記従来の食器洗い機では、食器の収納容量を多くするため、洗浄室３が深く、また奥行寸法が長く構成され、食器ラック６への食器の出し入れ時に前傾姿勢となり、膝や腰に負担がかかるという課題を有していた。また、その作業負担は、洗浄室３の奥下方への食器の出し入れ時に特に顕著であった。
【０００４】
【課題を解決するための手段】
本発明は上記課題を解決するために、機器本体と、前記機器本体に設けた洗浄室と、前記洗浄室に設けた開口部と、前記開口部を開閉する扉と、前記洗浄室に設けた食器ラックと、前記食器ラックを支持するラック支持手段と、前記食器ラックを昇降する昇降手段とを備え、前記食器ラックは、前記昇降手段の付勢体により上方に付勢され、空量時に可動範囲の最上端に位置して前記開口部の上方に臨ませる突出部材を設けるとともに、前記突出部材が前記開口部上に位置するとき、前記扉の閉塞操作により前記突出部材を押圧して前記食器ラックを所定位置まで降下させて収納するようにしたものである。
【０００５】
上記発明によれば、食器ラックは、昇降手段で洗浄室を昇降するため、膝や腰への負担が軽減でき、使い勝手を向上することができる。また、食器の空量時でも扉を閉塞する操作で、食器ラックを洗浄室の所定位置まで下降、収納することができ、操作性を向上することができる。
【０００６】
【発明の実施の形態】
本発明の請求項１に係る食器洗い機は、機器本体と、前記機器本体に設けた洗浄室と、前記洗浄室に設けた開口部と、前記開口部を開閉する扉と、前記洗浄室に設けた食器ラックと、前記食器ラックを支持するラック支持手段と、前記食器ラックを昇降する昇降手段とを備え、前記食器ラックは、前記昇降手段の付勢体により上方に付勢され、空量時に可動範囲の最上端に位置して前記開口部の上方に臨ませる突出部材を設けるとともに、前記突出部材が前記開口部上に位置するとき、前記扉の閉塞操作により前記突出部材を押圧して前記食器ラックを所定位置まで降下させて収納するようにしたことにより、食器ラックは、昇降手段で洗浄室を昇降するため、膝や腰への負担が軽減でき、使い勝手を向上することができる。また、食器の空量時でも扉を閉塞する操作で、食器ラックを洗浄室の所定位置まで下降、収納することができ、操作性を向上することができる。
【０００７】
本発明の請求項２に係る食器洗い機は、食器ラックを、食器の空量時に洗浄室の略中間高さに位置するように構成したことにより、食器ラックの底位置が、シンク底面より上方に位置するため、食器ラックへの食器の出し入れ作業を楽に行うことができる。
【０００８】
本発明の請求項３に係る食器洗い機は、食器ラックを、ラック支持手段に着脱自在に載置してあり、食器ラックを食器の空量時にいつでも出し入れすることができるため、洗浄室の底部にある洗浄ノズル、残菜フィルター等の手入れを容易に行うことができる。
【０００９】
本発明の請求項４に係る食器洗い機は、昇降手段を、複数個配設するとともに、食器ラックの水平維持手段を兼ね備えた付勢体摺動軸を有する構成としてあり、昇降手段が安定した水平とバランスを保つため、昇降手段の信頼性を向上することができる。
【００１０】
本発明の請求項５に係る食器洗い機は、昇降手段を、食器ラックへの積載総重量の略１／２重量で自動的に下降を開始する構成としてあり、洗浄室の略中間高さにある食器ラックの奥下方から食器をセットし、次に手前側、最後に食器ラックの上方にあるラック棚へのセットが一般的であるため、まず奥下方への食器セットでは食器ラックが下降を始めることのないように昇降手段の付勢体は荷重設定されている。従って、奥下方への食器セットを楽な姿勢で行うことができる。
【００１１】
逆に洗浄が終了して食器を取り出す際には、まず上方にあるラック棚、次に手前側の食器を取り出すと、食器ラックは再度洗浄室の略中間高さに上昇するため、奥下方の食器はセット時と同様に楽に取り出すことができる。また、昇降手段の可動部が洗浄室の中にあるため、従来と同様に洗浄室のシールは、必要なく構成することができる。
【００１２】
本発明の請求項６に係る食器洗い機は、昇降手段を、平面矩形状の洗浄室の外方に部分的に突出させた位置に設けてあり、食器ラックを平面矩形状の洗浄室いっぱいに構成できるため、従来と同等の食器収納容量を確保することができる。
【００１３】
本発明の請求項７に係る食器洗い機は、昇降手段の最下端を、食器ラックの最下降位置よりもさらに下方に位置させてあり、食器ラックの最下降位置と昇降手段の最下端の間で、昇降手段である付勢体の密着高さを確保するため、食器ラックの高さ方向における収納スペースも有効に活用することができる。
【００１４】
【実施例】
以下、本発明の実施例について図面を用いて説明する。図１は本発明の一実施例を示す食器洗い機の食器ラック上昇状態における側断面図、図２は図１の要部拡大断面図、図３は同じく食器ラック下降状態における側断面図、図４は図１のＡ−Ａ線における断面図である。
【００１５】
図１から図４において、１１はシンク（図示せず）の横に設置された食器洗い機の機器本体、１２は機器本体１１に設けられた平面矩形状の洗浄室、１３は洗浄室１２の上方に設けられた開口部、１４は開口部１３の後方を支点に開口部１３を開閉する扉で、閉塞すると作業スペースとして活用できるように構成される。１５は食器収納用の食器ラック、１６は食器ラック１５の上方左右に設けられた突出部材で食器洗浄時には洗浄室１２に収納される。１７はラック支持手段で食器ラック１５が着脱自在に載置支持される。
【００１６】
１８はラック支持手段１７すなわち食器ラック１５を昇降する昇降手段で、圧縮ばねからなる付勢体１９と、この付勢体１９の上端に装着される付勢体受け２０と、付勢体１９、付勢体受け２０が昇降する付勢体摺動軸２１とから形成される。付勢体１９は、付勢体受け２０により圧縮された状態で付勢体摺動軸２１にナット等の締結体２２により装着された後、ラック支持手段１７が付勢体受け２０上に載置される。２３は洗浄室１２の下方に設けられ昇降手段１８の下端側を支持する支持プレートで、付勢体１９、付勢体摺動軸２１はさらに下方に支持される。なお、２４は食器に向けて洗浄水を噴射する洗浄ノズルである。
【００１７】
次に、前記構成について更に詳しく説明すると、食器ラック１５は、食器を入れていない空量時に昇降手段１８の可動範囲の最上端に位置させるとともに、食器ラック１５の底位置が、シンク底面より上方になるように洗浄室１２の略中間高さに位置するように構成される。また、食器ラック１５の上方に設けられた突出部材１６は、この突出部材１６が洗浄室１２の開口部１３上に突出位置するとき、扉１４を閉塞すればこの扉１４が突出部材１６を押圧して食器ラック１５を降下させ、この状態で図示しないロック装置によって扉１４は閉成状態を維持されるようになっている。
【００１８】
昇降手段１８は、バランスを保つために本実施例では６個配設されるとともに、食器ラック１５は付勢体摺動軸２１に沿って昇降することにより水平を保って洗浄室１２を昇降するように構成される。また、昇降手段１８は、本実施例では合計６個分で食器ラック１５への積載総重量の略１／２重量になると、自動的に下降を開始するように昇降手段１８の付勢体１９は荷重設定される。また、この昇降手段１８は、図４に示すように平面矩形状の洗浄室１２の外方に部分的に突出した位置で昇降するように、昇降手段１８および洗浄室１２が構成される。また、支持プレート２３の下方に支持される付勢体１９は、その最下端を食器ラック１５の最下降位置よりも、さらに下方に位置するように構成されている。
【００１９】
次に、動作、作用について説明すると、この食器洗い機の食器ラック１５は、昇降手段１８で洗浄室１２を昇降するため、食器ラック１５への食器の出し入れが背筋を伸ばしたままででき、膝や腰への負担も軽減でき、使い勝手を向上することができる。
【００２０】
また、食器が入っていない空量時の食器ラック１５は昇降手段１８の可動範囲の最上端に位置しており、可動範囲を最大限に活用できるため、昇降手段１８を限度いっぱい有効に可動することができる。
【００２１】
また、上記食器ラック１５は、食器が入っていない空量時にはその底が洗浄室１２の略中間高さに位置していて、食器ラック１５の底位置が、シンク底面より上方に位置するため、食器ラック１５への食器の出し入れ作業を楽に行うことができる。
【００２２】
更に上記食器ラック１５には、開口部１３の上方に臨ませる突出部材１６を設けるとともに、突出部材１６が開口部１３上に位置するとき、扉１４を閉塞させると扉１４が突出部材１６を押圧してこれを降下させるようにしてあり、食器の空量時でも扉１４を閉塞する操作で、食器ラック１５は扉１４により押圧され、自ずと食器ラック１５を洗浄室１２の所定位置まで下降、収納することができる。また、食器ラック１５には一切触る必要がないため、操作性を向上することができる。
【００２３】
また、食器ラック１５は、ラック支持手段１７に着脱自在に載置してあり、食器ラック１５を食器の空量時にいつでも出し入れすることができるため、洗浄室１２の底部にある洗浄ノズル２４、残菜フィルター（図示せず）等の手入れを容易に行うことができる。
【００２４】
また、この食器洗い機は、昇降手段１８を、付勢体１９により構成し、付勢体１９を圧縮状態に装着してあり、洗浄室１２の略中間高さにある食器ラック１５に、食器をセットしても食器ラック１５が、即時に下降を始めることがないため、作業性を向上することができる。また、昇降手段１８を付勢体１９で構成することにより、簡素で、かつ安価な昇降手段１８を提供することができる。
【００２５】
また、昇降手段１８は、複数個配設するとともに、食器ラック１５の水平維持手段を兼ね備えた付勢体摺動軸２１を有する構成としてあり、昇降手段１８が食器ラック１５の安定した水平とバランスを保つため、昇降手段１８の信頼性を向上することができる。
【００２６】
また、昇降手段１８は、食器ラック１５への積載総重量の略１／２重量で自動的に下降を開始する構成としてあり、洗浄室１２の略中間高さにある食器ラック１５の奥下方から食器をセットし、次に手前側、最後に食器ラック１５の上方にあるラック棚（図示せず）へのセットが一般的であるため、まず奥下方への食器セットでは食器ラック１５が下降を始めることのないように昇降手段１８の付勢体１９は荷重設定されている。従って、奥下方への食器セットを楽な姿勢で行うことができる。逆に洗浄が終了して食器を取り出す際には、まず上方にあるラック棚、次に手前側の食器を取り出すと、食器ラック１５は再度洗浄室１２の略中間高さに上昇するため、奥下方の食器はセット時と同様に楽に取り出すことができる。また、昇降手段１８の可動部が洗浄室１２の中にあるため、従来と同様に洗浄室１２のシールは、必要なく構成することができる。
【００２７】
また、この食器洗い機は、昇降手段１８を、平面矩形状の洗浄室１２の外方に部分的に突出させた位置で昇降してあり、食器ラック１５を平面矩形状の洗浄室１２いっぱいに構成できるため、従来と同等の食器収納容量を確保することができる。
【００２８】
さらに、この食器洗い機は、昇降手段１８の最下端を、食器ラック１５の最下降位置よりもさらに下方に位置させてあり、食器ラック１５の最下降位置と昇降手段１８の最下端の間で、昇降手段１８である付勢体１９の密着高さを確保するため、食器ラック１５の高さ方向における収納スペースも有効に活用することができる。
【００２９】
なお、前記実施例においては開口部、扉が洗浄室の上方に設けられた構成で説明したが、前方であっても食器ラックの昇降効果は変わらないものである。
【００３０】
また、前記実施例において昇降手段は付勢体としたが、モータや水圧を利用しても同様に実施することができる。
【００３１】
【発明の効果】
本発明の請求項１に係る食器洗い機は、機器本体と、前記機器本体に設けた洗浄室と、前記洗浄室に設けた開口部と、前記開口部を開閉する扉と、前記洗浄室に設けた食器ラックと、前記食器ラックを支持するラック支持手段と、前記食器ラックを昇降する昇降手段とを備え、前記食器ラックは、前記昇降手段の付勢体により上方に付勢され、空量時に可動範囲の最上端に位置して前記開口部の上方に臨ませる突出部材を設けるとともに、前記突出部材が前記開口部上に位置するとき、前記扉の閉塞操作により前記突出部材を押圧して前記食器ラックを所定位置まで降下させて収納するようにしたから、食器ラックへの食器の出し入れに膝や腰への負担が軽減でき、使い勝手を向上することができる。また、食器の空量時でも扉を閉塞する操作で、食器ラックを洗浄室の所定位置まで下降、収納することができ、操作性を向上することができる。
【００３２】
また、請求項２に係る食器洗い機は、食器ラックは、空量時に洗浄室の略中間高さに位置するように構成したから、食器ラックの底位置が、シンク底面より上方に位置するため、食器ラックへの食器の出し入れ作業を楽に行うことができる。
【００３３】
また、請求項３に係る食器洗い機は、食器ラックは、ラック支持手段に着脱自在に載置したから、食器ラックを食器の空量時にいつでも出し入れすることができるため、洗浄室の底部にある洗浄ノズル、残菜フィルター等の手入れを容易に行うことができる。
【００３４】
また、請求項４に係る食器洗い機は、昇降手段は、複数個配設するとともに、食器ラックの水平維持手段を兼ね備えた付勢体摺動軸を有するから、昇降手段が安定した水平とバランスを保つため、昇降手段の信頼性を向上することができる。
【００３５】
また、請求項５に係る食器洗い機は、昇降手段は、食器ラックへの積載総重量の略１／２重量で自動的に下降を開始するから、食器ラックの奥下方への食器セットと取り出しを楽な姿勢で行うことができる。
【００３６】
また、請求項６に係る食器洗い機は、昇降手段は、平面矩形状の洗浄室の外方に部分的に突出させた位置に設けたから、食器ラックを平面矩形状の洗浄室いっぱいに構成でき、食器収納容量を確保することができる。
【００３７】
また、請求項７に係る食器洗い機は、昇降手段の最下端は、食器ラックの最下降位置よりもさらに下方に位置させたから、食器ラックの高さ方向における収納スペースも有効に活用することができる。
【図面の簡単な説明】
【図１】  本発明の一実施例を示す食器洗い機の食器ラック上昇状態における側断面図
【図２】  同要部拡大断面図
【図３】  同食器ラック下降状態における側断面図
【図４】  図１のＡ−Ａ線における断面図
【図５】  従来の食器洗い機の前断面図
【符号の説明】
１１  機器本体
１２  洗浄室
１３  開口部
１４  扉
１５  食器ラック
１６  突出部材
１７  ラック支持手段
１８  昇降手段
１９  付勢体
２１  付勢体摺動軸
【図１】
0004029485.tif 000002
【図２】
0004029485.tif 000003
【図３】
0004029485.tif 000004
【図４】
0004029485.tif 000005
【図５】
0004029485.tif 000006